(57)【特許請求の範囲】
【請求項１】
柱芯材と、この柱芯材の長手方向に沿った接合面を有しかつ柱芯材の外周を互いに向かい合って覆う一対の化粧柱部材と、前記柱芯材の外周に取り付けられ前記化粧柱部材を支持する取付具と、前記一対の化粧柱部材の対向する接合面間において前記一対の化粧柱部材を前記取付具に固定する固定具とを備え、
前記柱芯材は、四角柱状に形成され、
前記各化粧柱部材は、互いに対向する接合面に前記柱芯材の少なくとも一部を収納する凹部を有し、この凹部の内底面に被挟持部が形成されているとともに、前記凹部を挟んだ接合面に係合部がそれぞれ形成され、
前記取付具は、１枚の弾性板材を前記柱芯材の外周４側面のうち２側面に沿った形状に折り曲げて形成され互いに所定角度をなした第１辺部および第２辺部を有する取付具本体を備え、
前記第１辺部は、幅方向両端縁を除く中央部分が柱芯材から外側に向かって台形状に突出した支持部を有し、この支持部には上下縁部分が第１辺部と面一に折り返され前記柱芯材に固定される折返部が形成され、この上下の折返部の間に前記被挟持部を弾性的に挟持する一対の弾性挟持片が所定間隔隔てて切り起こし形成され、
前記第２辺部は、幅方向両端縁を除く中央部分が柱芯材から外側に向かって台形状に突出した支持部を有し、この支持部には受部が形成され、
前記固定具は、前記一対の化粧柱部材の対向する係合部に跨って設けられた係合片と、前記一対の化粧柱部材の対向する接合面間において前記取付具の受部に係合され前記係合片を介して前記一対の化粧柱部材を前記取付具に締付固定する締付具とを有する、ことを特徴とする化粧柱構造。
【請求項２】
請求項１に記載の化粧柱構造において、
前記被挟持部は、前記凹部の内底面に間隔を隔てて形成された一対の溝部の間に形成され、
前記一対の弾性挟持片は、前記第１辺部から離れるに従って、互いに接近したのち次第に離れる形状に形成されている、ことを特徴とする化粧柱構造。
【請求項３】
請求項１または請求項２に記載の化粧柱構造において、
前記係合部は、前記化粧柱部材の接合面において、前記柱芯材に向かうに従って接合面から次第に離れるテーパ面を有する溝条によって形成され、
前記係合片は、前記テーパ面に沿うテーパ面を両端に有していることを特徴とする化粧柱構造。
【請求項４】
請求項３に記載の化粧柱構造において、
前記受部は、ナット部材によって構成され、
前記締付具は、係合片を挿通して前記ナット部材に螺合するボルト部材によって構成されていることを特徴とする化粧柱構造。
【請求項５】
請求項１〜請求項４のいずれかに記載の化粧柱構造において、
前記一対の化粧柱部材の対向する接合面間には、シーリング材が充填されていることを特徴とする化粧柱構造。
【発明の詳細な説明】
【技術分野】
【０００１】
本発明は、化粧柱構造に関する。例えば、住宅などの玄関ポーチにおいて、玄関庇を支持するポーチ柱などの化粧柱構造に関する。
【背景技術】
【０００２】
一般の住宅などにおいて、例えば、玄関ポーチにおける意匠性を高める工夫として、玄関庇を支えるポーチ柱にデザインを施す施工が行われている。
従来、これらの施工は、塗料や顔料などを吹き付けることにより行われていたが、近年、柱芯材に取付具を固定し、この取付具に化粧柱部材を取り付ける施工が行われている。
【０００３】
例えば、特許文献１には、断面正方形の芯柱と、この芯柱の長手方向に沿って半割に構成され芯柱を対向側から被覆する一対の化粧カバー部材と、この両化粧カバー部材を、その突き合わせ接合部分において連結する一対の取付部材と、この取付部材を芯柱に止め付けるネジ釘とを備える組立式化粧柱が示されている。
化粧カバー部材の両端部分には、各取付部材の両端部が収納される嵌合溝がそれぞれ形成されている。
【０００４】
施工にあたっては、芯柱を挟んで両化粧カバー部材を合わせる。すると、両化粧カバー部材の接合面間に芯柱の長手方向に連続するネジ釘操作用間隙が形成される。続いて、両化粧カバー部材の接合面間に対向して形成された嵌合溝の上端より、取付部材を差し込んで下方へ落とし込み、所定高さ位置において、ネジ釘操作用間隙から挿入したネジ釘を取付部材を通して芯柱にねじ込む。これにより、化粧カバー部材が芯柱に固定される。
【０００５】
【特許文献１】特開平９−１３２９５２号公報（図８〜図１０参照）
【発明の開示】
【発明が解決しようとする課題】
【０００６】
上述した特許文献１に開示の組立式化粧柱の構成では、芯柱を挟んで両化粧カバー部材を合わせた状態では、両化粧カバー部材は他に支持されていないため、取付部材をネジ釘で芯柱にねじ込むまで、化粧カバー部材を支えておかないと、化粧カバー部材が外れる虞がある。
【０００７】
特許文献１に記載の実施形態（図１〜図７に記載の第１実施形態）では、取付部材を芯柱の長さに略等しい長さに形成し、これを芯柱にネジ釘で仮止めしたのち、この取付部材の両端部分の翼片に、両化粧カバー部材の対向する嵌合溝を嵌合させる。こののち、ネジ釘を本締めして、両化粧カバー部材を芯柱に固定する方法が提案されている。
ところが、この方法の場合、上下方向に長い取付部材の幅方向両端の翼片全長（上下方向全長）に渡って、両化粧カバー部材の対向する嵌合溝を嵌合させなければならないため、作業性が悪い。
【０００８】
本発明の目的は、このような従来の課題を解消し、施工が容易な化粧柱構造を提供することにある。
【課題を解決するための手段】
【０００９】
本発明の化粧柱構造は、柱芯材と、この柱芯材の長手方向に沿った接合面を有しかつ柱芯材の外周を互いに向かい合って覆う一対の化粧柱部材と、前記柱芯材の外周に取り付けられ前記化粧柱部材を支持する取付具と、前記一対の化粧柱部材の対向する接合面間において前記一対の化粧柱部材を前記取付具に固定する固定具とを備え、前記柱芯材は、四角柱状に形成され、前記各化粧柱部材は、互いに対向する接合面に前記柱芯材の少なくとも一部を収納する凹部を有し、この凹部の内底面に被挟持部が形成されているとともに、前記凹部を挟んだ接合面に係合部がそれぞれ形成され、前記取付具は、１枚の弾性板材を前記柱芯材の外周４側面のうち２側面に沿った形状に折り曲げて形成され互いに所定角度をなした第１辺部および第２辺部を有する取付具本体を備え、前記第１辺部は、幅方向両端縁を除く中央部分が柱芯材から外側に向かって台形状に突出した支持部を有し、この支持部には上下縁部分が第１辺部と面一に折り返され前記柱芯材に固定される折返部が形成され、この上下の折返部の間に前記被挟持部を弾性的に挟持する一対の弾性挟持片が所定間隔隔てて切り起こし形成され、前記第２辺部は、幅方向両端縁を除く中央部分が柱芯材から外側に向かって台形状に突出した支持部を有し、この支持部には受部が形成され、前記固定具は、前記一対の化粧柱部材の対向する係合部に跨って設けられた係合片と、前記一対の化粧柱部材の対向する接合面間において前記取付具の受部に係合され前記係合片を介して前記一対の化粧柱部材を前記取付具に締付固定する締付具とを有する、ことを特徴とする。
【００１０】
この構成によれば、取付具を柱芯材の対角位置に沿わせたのち、取付具を柱芯材に適宜な手段で固定する。この際、取付具は、柱芯材の２側面に沿った第１辺部および第２辺部を有する形状であるから、取付具の第１辺部および第２辺部を柱芯材の角部を挟んだ２側面に沿わせれば、取付具は柱芯材の定位置に自動的に位置決めされる。そのため、取付具を柱芯材に容易にかつ簡単に固定できる。
続いて、一対の化粧柱部材の凹部を柱芯材を挟んで向かい合わせ、柱芯材に向けて嵌め込むと、各化粧柱部材の被挟持部が取付具の一対の弾性挟持片によって弾性的に挟持される。こののち、一対の化粧柱部材の対向する係合部に跨って係合片を係合させたのち、締付具を締め付ける。すると、係合片を介して一対の化粧柱部材が取付具に締付固定される。
従って、一対の化粧柱部材を柱芯材に向けて嵌め込むと、各化粧柱部材の被挟持部が取付具の一対の弾性挟持片によって弾性的に挟持されるから、以後の締め付け作業を行うまで、化粧柱部材を支えておく必要がない。そのため、施工を簡易にできる。
【００１１】
本発明の化粧柱構造において、前記被挟持部は、前記凹部の内底面に間隔を隔てて形成された一対の溝部の間に形成され、前記一対の弾性挟持片は、前記第１辺部から離れるに従って、互いに接近したのち次第に離れる形状に形成されている、ことが好ましい。
この構成によれば、化粧柱部材の凹部を柱芯材に向けて嵌め込むと、取付具の一対の弾性挟持片の先端が互いに離れる形状に形成されているから、化粧柱部材の被挟持部が一対の弾性挟持片の先端間に嵌り込む。更に、化粧柱部材を柱芯材に嵌め込んでいくと、一対の弾性挟持片が化粧柱部材の被挟持部によって更に押し拡げられる。これにより、一対の弾性挟持片の反力によって、化粧柱部材の被挟持部が挟持されるから、化粧柱部材を簡単に、かつ、十分な力で固定できる。
【００１２】
本発明の化粧柱構造において、前記係合部は、前記化粧柱部材の接合面において、前記柱芯材に向かうに従って接合面から次第に離れるテーパ面を有する溝条によって形成され、前記係合片は、前記テーパ面に沿うテーパ面を両端に有している、ことが好ましい。
この構成によれば、係合部は、柱芯材に向かうに従って接合面から次第に離れるテーパ面を有する溝条として形成され、係合片は、係合部のテーパ面に沿うテーパ面を両端に有しているから、締付具を締め付けていくと、係合片のテーパ面が係合部のテーパ面を互いに接近する方向へ付勢した状態で締め付けるため、化粧柱部材のずれを極力抑えることができる。
【００１３】
本発明の化粧柱構造において、前記受部は、ナット部材によって構成され、前記締付具は、係合片を挿通して前記ナット部材に螺合するボルト部材によって構成されていることが好ましい。
この構成によれば、ナット部材とボルト部材とによって構成できるから、極めて安価にできる。しかも、ボルト部材を係合片を挿通してナット部材に螺合すると、係合片を介して化粧柱部材を締め付けことができるから、締め付け作業も容易にできる。
【００１４】
本発明の化粧柱構造において、一対の化粧柱部材の対向する接合面間には、シーリング材が充填されていることが好ましい。
この構成によれば、一対の化粧柱部材の対向する接合面間にはシーリング材が充填されているから、雨水などの浸入を確実に防ぐことができる。
【発明を実施するための最良の形態】
【００１５】
＜住宅の説明（図１参照）＞
図１は、住宅１の玄関部分２に設けられた玄関ポーチ３を示している。
玄関ポーチ３は、住宅１の玄関部分２の上部に設けられた玄関庇４と、この玄関庇４を支持する２本のポーチ柱５によって構成されている。本実施形態では、ポーチ柱５が本発明の化粧柱構造によって構成されている。
【００１６】
＜ポーチ柱の説明（図２、図３参照）＞
図２は、ポーチ柱５の断面図、図３は、ポーチ柱５の分解斜視図である。
ポーチ柱５は、柱芯材１０と、この柱芯材１０の長手方向に沿った接合面を有しかつ柱芯材１０の外周を互いに向かい合って覆う一対の化粧柱部材２０と、柱芯材１０の外周に取り付けられ各化粧柱部材２０を支持する複数の取付具５０と、一対の化粧柱部材２０の対向する接合面間において一対の化粧柱部材２０を取付具５０に固定する固定具６０とを備えて構成されている。
柱芯材１０は、四角柱状、具体的には、断面四角形の鋼管製柱材によって構成されているが、これに限られない。内部が空洞でない無垢の柱材であってもよく、あるいは、鋼管製に限らず、木製であってもよい。
【００１７】
＜化粧柱部材の説明（図２、図３、図４参照）＞
化粧柱部材２０は、円柱を軸方向に沿って２つの分割した形状、つまり、柱芯材１０の長手方向に沿った接合面２０Ａを有する断面半円形状で、かつ、長さが柱芯材１０の長さに略等しい柱状に形成されている。化粧柱部材２０の材質は、窯業系、石材系、タイル系、樹脂系、アルミ系、木質系などが用いられる。
化粧柱部材２０の接合面２０Ａ、つまり、半円形状の直径に相当する面には、中心部分に柱芯材１０の少なくとも一部（略半分）を収納する凹部２１が、凹部２１を挟んだ両側（の接合面）に係合部２９およびシーリング材用目地溝２２がそれぞれ形成されているとともに、凹部２１と外周輪郭円２０Ｂとの間には複数の肉抜き孔２３が形成されている。
【００１８】
凹部２１は、内底面２１Ａ、両内側面２１Ｂおよびこれらを結ぶ傾斜面２１Ｃを有する断面五角形状に形成されている。内底面２１Ａには、一対の溝部２４が間隔を隔てて形成され、この溝部２４の間に断面矩形状の被挟持部２５が形成されている。
係合部２９は、化粧柱部材２０の接合面２０Ａの略中央位置において、柱芯材１０の長手方向に連続する断面矩形の溝条によって構成されている。溝条の内面側側壁は、溝条の開口部から柱芯材１０の中心に向かうに従って接合面２０Ａから離れるテーパ面２９Ａに形成されている。
【００１９】
＜取付具の説明（図２、図３、図５）＞
取付具５０は、柱芯材１０の外周４側面のうち２側面に沿ったＬ字形状の取付具本体５１を有する。取付具本体５１は、弾性を有する材料、例えば、メッキ鋼板、ステンレス材、アルミ材、樹脂材などによって形成されているとともに、柱芯材１０の一側面幅に相当する幅を有する第１辺部５２と、この第１辺部５２から直角に折り曲げ形成され柱芯材１０の隣接する他側面幅に相当する幅を有する第２辺部５７とを有するＬ字形に形成されている。
【００２０】
第１辺部５２は、幅方向両端縁を除く中央部分が柱芯材１０から外側に向かって台形状に突出した支持部５３を備えている。支持部５３には、上下縁部分が第１辺部５２と面一に折り返された折返部５４が形成されているとともに、この上下の折返部５４の間に被挟持部２５を弾性的に挟持する一対の弾性挟持片５５が所定間隔隔てて切り起こし形成されている。折返部５４には、ビス挿通孔５６が形成されている。一対の弾性挟持片５５は、第１辺部５２から離れるに従って、互いに接近したのち次第に離れる形状に形成されている。
【００２１】
第２辺部５７は、幅方向両端縁を除く中央部分が柱芯材１０から外側に向かって台形状に突出した支持部５８を備えている。支持部５８には、固定具６０を支持する受部としてのナット部材５９が溶接などによって一体的に固定されている。
【００２２】
＜固定具の説明（図２、図３、図６参照）＞
固定具６０は、一対の化粧柱部材２０の対向する係合部２９に跨って設けられた係合片６１と、一対の化粧柱部材２０の対向する接合面２０Ａ間において取付具５０のナット部材５９に係合され係合片６１を介して一対の化粧柱部材２０を取付具５０に締付固定する締付具としてのボルト部材６２とを備える。
係合片６１は、一枚の板材の幅方向両端部を内側に折り返して構成してもので、折り返し片の先端が内側に傾斜するように折り曲げられている。つまり、化粧柱部材２０の係合部２９のテーパ面２９Ａに沿うテーパ面６１Ａを両端に有する形状に形成されている。また、係合片６１の中心部には、ボルト挿通孔６１Ｂが貫通形成されている。
【００２３】
＜化粧柱構造の施工方法の説明（図１〜図６参照）＞
施工にあたっては、柱芯材１０の長さ方向所定間隔位置において、一対の取付具５０を柱芯材１０の対角位置に沿わせたのち、取付具５０を柱芯材１０にビス８０で固定する。
まず、取付具５０の第１辺部５２および第２辺部５７を柱芯材１０の角部を挟んだ２側面に沿わせたのち、ビス挿通孔５６にビス８０をねじ込んで取付具５０を柱芯材１０に固定する。この際、取付具５０は、第１辺部５２と第２辺部５７とが９０度をなすＬ字形状に形成されているから、取付具５０を柱芯材１０の角部に沿わせるだけで、取付具５０は柱芯材１０の定位置に自動的に位置決め、保持される。
【００２４】
続いて、一対の化粧柱部材２０の凹部２１を柱芯材１０を挟んで向かい合わせ、柱芯材１０の両側より嵌め込むと、各化粧柱部材２０の被挟持部２５が取付具５０の一対の弾性挟持片５５によって弾性的に挟持される。
つまり、化粧柱部材２０の凹部２１を柱芯材１０に向けて嵌め込むと、化粧柱部材２０の被挟持部２５が一対の弾性挟持片５５の先端間に嵌り込む。更に、化粧柱部材２０を柱芯材１０に嵌め込んでいくと（押し込んでいくと）、一対の弾性挟持片５５が化粧柱部材２０の被挟持部２５によって更に押し拡げられる。これにより、一対の弾性挟持片５５の反力によって、化粧柱部材２０の被挟持部２５が挟持される。
【００２５】
この状態では、一対の化粧柱部材２０の対向する接合面２０Ａ間には、ボルト挿入用の隙間が形成されている。
こののち、一対の化粧柱部材２０の対向する接合面２０Ａの係合部２９に跨って係合片６１を差し込み、係合部２９に沿って落とし込む。係合片６１を取付具５０に対応する位置まで移動させたのち、ボルト部材６２を係合片６１のボルト挿通孔６１Ｂを通して取付具５０のナット部材５９に螺合し、締め付ける。すると、係合片６１を介して一対の化粧柱部材２０が取付具５０に固定される。
【００２６】
この際、係合部２９は、柱芯材１０に向かうに従って接合面２０Ａから次第に離れるテーパ面２９Ａを有する溝条として形成され、係合片６１は、係合部２９のテーパ面２９Ａに沿うテーパ面６１Ａを両端に有しているから、固定具６０を締め付けていくと、係合片６１のテーパ面６１Ａが係合部２９のテーパ面２９Ａを互いに接近する方向へ付勢した状態で締め付けるため、化粧柱部材２０のずれを極力抑えることができる。
【００２７】
このようにして、柱芯材１０に、取付具５０を介して、一対の化粧柱部材２０を柱芯材１０の外周を覆うように取り付けたのち、一対の化粧柱部材２０の接合面の突き合わせ端部間にシーリング材７０を充填し、止水処理を施す。
シーリング材７０としては、湿式シーリング材と乾式シーリング材とがあるが、いずれでもよい。湿式シーリング材としては、シリコン系、ウレタン系などを採用することができる。乾式シーリング材としては、シリコン系、ウレタン系、アクリル系などを採用することができる。なかでも、ＥＰＤＭ（エチレン・プロピレンゴム系）などの弾性シーリング材は好適に使用できる。
【００２８】
＜実施形態の効果＞
（１）一対の化粧柱部材２０を柱芯材１０に向けて嵌め込むと、各化粧柱部材２０の被挟持部２５が取付具５０の一対の弾性挟持片５５によって弾性的に挟持されるから、以後の締め付け作業を行うまで、化粧柱部材２０を支えておく必要がない。そのため、施工が簡易にできる。
（２）取付具５０は、柱芯材１０の２側面に沿った第１辺部５２および第２辺部５７を有する形状であるから、取付具５０の第１辺部５２および第２辺部５７を柱芯材１０の角部を挟んだ２側面に沿わせれば、取付具５０は柱芯材１０の定位置に自動的に位置決めされるから、取付具５０を柱芯材１０に容易にかつ簡単に固定できる。
【００２９】
（３）一対の弾性挟持片５５によって化粧柱部材２０の被挟持部２５を弾性的に挟持する構造であるため、高い加工精度が要求されない。従って、この点からも加工施工が極めて簡易にできる。
【００３０】
（４）係合部２９は、柱芯材１０に向かうに従って接合面２０Ａから次第に離れるテーパ面２９Ａを有する溝条として形成され、係合片６１は、係合部２９のテーパ面２９Ａに沿うテーパ面６１Ａを両端に有しているから、固定具６０を締め付けていくと、係合片６１のテーパ面６１Ａが係合部２９のテーパ面２９Ａを互いに接近する方向へ付勢した状態で締め付けるため、化粧柱部材２０のずれを極力抑えることができる。
（５）一対の化粧柱部材２０の突き合わせ端部間にはシーリング材７０が充填されているから、雨水などの浸入を確実の防ぐことができる。
【００３１】
なお、本発明は、前述の実施形態に限定されるものではなく、本発明の目的を達成できる範囲での変形、改良などは本発明に含まれる。
例えば、化粧柱部材２０の形状は、半円形状に限らず、断面矩形状であってもよく、あるいは、これ以外の形状であってもよい。また、外形輪郭形状については、特に問わない。
【００３２】
また、取付具５０において、弾性挟持片５５の内面側に、粗い表面処理を施したり、鋸歯状の突起などを形成して、化粧柱部材２０の被挟持部２５との摩擦抵抗を大きくすれば、より強固に化粧柱部材２０を保持することができる。あるいは、弾性挟持片５５が接する化粧柱部材２０の被挟持部２５に、弾性挟持片５５が嵌り込む溝などを形成しても、同様な効果が期待できる。
【産業上の利用可能性】
【００３３】
本発明は、ポーチ柱に利用できるほかに、例えば、バルコニの化粧柱など、一般の住宅に用いられる各種化粧柱の構造に適用できる。
【図面の簡単な説明】
【００３４】
【図１】本発明の一実施形態の住宅を示す斜視図。
【図２】同上実施形態におけるポーチ柱の断面図。
【図３】同上実施形態におけるポーチ柱の分解斜視図。
【図４】同上実施形態における化粧柱部材の端面図。
【図５】同上実施形態における取付具の斜視図。
【図６】同上実施形態における固定具部分を示す拡大断面図。
【符号の説明】
【００３５】
５…ポーチ柱（化粧柱）、
１０…柱芯材、
２０…化粧柱部材、
２１…凹部、
２１Ａ…内底面、
２４…溝部、
２５…被挟持部、
２９…係合部、
２９Ａ…テーパ面、
５０…取付具、
５１…取付具本体、
５２…第１片部、
５５…弾性挟持片、
５７…第２片部、
５９…ナット部材（受部）、
６０…固定具、
６１…係合片、
６１Ａ…テーパ面、
６２…ボルト部材（締付具）、
７０…シーリング材。
【図１】
0005398959.tif 000002
【図２】
0005398959.tif 000003
【図３】
0005398959.tif 000004
【図４】
0005398959.tif 000005
【図５】
0005398959.tif 000006
【図６】
0005398959.tif 000007